【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
第１の発光色を呈する第１の有機発光素子と、第１の発光色とは異なる第２の発光色を呈する第２の有機発光素子と、を有し、各有機発光素子は、光反射性の陰極と、電子輸送層と、電子輸送性の発光層と、光透過性の陽極と、をこの順で有する多色有機発光装置であって、
前記第１の有機発光素子と前記第２の有機発光素子において、各電子輸送層の厚みは同じであり、各発光層の厚みは異なっており、
各有機発光素子の前記発光層の発光面と前記陰極の反射面との間の光学距離は、発光層から前記陽極側に放出される光と、前記陰極で反射される光とが、光学干渉により強め合う光学距離であることを特徴とする多色有機発光装置。
【請求項２】
第１の発光色を呈する第１の有機発光素子と、第１の発光色とは異なる第２の発光色を呈する第２の有機発光素子と、を有し、各有機発光素子は、光反射性の陰極と、電子輸送層と、発光層と、光透過性の陽極と、をこの順で有する多色有機発光装置であって、
各有機発光素子の前記発光層の発光面は、前記発光層の陽極側の界面であり、
前記第１の有機発光素子と前記第２の有機発光素子において、各電子輸送層の厚みは同じであり、各発光層の厚みは異なっており、
各有機発光素子の前記発光層の発光面と前記陰極の反射面との間の光学距離は、発光層から前記陽極側に放出される光と、前記陰極で反射される光とが、光学干渉により強め合う光学距離であることを特徴とする多色有機発光装置。
【請求項３】
前記電子輸送層は、前記各有機発光素子の間に跨って配置されていることを特徴とする請求項１又は２に記載の多色有機発光装置。
【請求項４】
前記各有機発光素子は、前記発光層と前記陽極との間に正孔輸送層を有し、
前記第１の有機発光素子と前記第２の有機発光素子において、各正孔輸送層の厚みは同じであることを特徴とする請求項１乃至３のいずれか１項に記載の多色有機発光装置。
【請求項５】
第１の発光色を呈する第１の有機発光素子と、第１の発光色とは異なる第２の発光色を呈する第２の有機発光素子と、を有し、各有機発光素子は、光反射性の陽極と、正孔輸送層と、正孔輸送性の発光層と、光透過性の陰極と、をこの順で有する多色有機発光装置であって、
前記第１の有機発光素子と前記第２の有機発光素子において、各正孔輸送層の厚みは同じであり、各発光層の厚みは異なっており、
各有機発光素子の前記発光層の発光面と前記陽極の反射面との間の光学距離は、発光層から前記陰極側に放出される光と、前記陽極で反射される光とが、光学干渉により強め合う光学距離であることを特徴とする多色有機発光装置。
【請求項６】
第１の発光色を呈する第１の有機発光素子と、第１の発光色とは異なる第２の発光色を呈する第２の有機発光素子と、を有し、各有機発光素子は、光反射性の陽極と、正孔輸送層と、発光層と、光透過性の陰極と、をこの順で有する多色有機発光装置であって、
各有機発光素子の前記発光層の発光面は、前記発光層の陰極側の界面であり、
前記第１の有機発光素子と前記第２の有機発光素子において、各正孔輸送層の厚みは同じであり、各発光層の厚みは異なっており、
各有機発光素子の前記発光層の発光面と前記陽極の反射面との間の光学距離は、発光層から前記陰極側に放出される光と、前記陽極で反射される光とが、光学干渉により強め合う光学距離であることを特徴とする多色有機発光装置。
【請求項７】
前記正孔輸送層は、前記各有機発光素子の間に跨って配置されていることを特徴とする請求項５又は６に記載の多色有機発光装置。
【請求項８】
前記各有機発光素子は、前記発光層と前記陰極との間に電子輸送層を有し、
前記第１の有機発光素子と前記第２の有機発光素子において、各電子輸送層の厚みは同じであることを特徴とする請求項５乃至７のいずれか１項に記載の多色有機発光装置。
【請求項９】
前記各有機発光素子の前記発光層の発光面と前記反射面との間の光学距離は、下記式を満たすことを特徴とする請求項１乃至８のいずれか１項に記載の多色有機発光装置。
２Ｌ＝ｎλ＋（Φ／２π）λ
（ｎは正の整数、Φは前記反射面での位相シフト、λは前記発光層のＰＬスペクトルのピーク波長である。）
【請求項１０】
基板を有し、前記基板と前記各有機発光素子との間に、前記各有機発光素子を駆動するための薄膜トランジスタを有することを特徴とする請求項１乃至９のいずれか１項に記載の多色有機発光装置。
【請求項１１】
前記各有機発光素子は、前記基板上に配置され、各有機発光素子の前記陰極は前記陽極よりも基板側に配置されており、
前記薄膜トランジスタは、ｎチャンネル型であることを特徴とする請求項１０に記載の多色有機発光装置。
【請求項１２】
前記薄膜トランジスタは半導体層を含み、前記半導体層はアモルファスシリコンからなることを特徴とする請求項１１に記載の多色有機発光装置。
【請求項１３】
第１の発光色を呈する第１の有機発光素子と、第１の発光色とは異なる第２の発光色を呈する第２の有機発光素子と、を有し、各有機発光素子は、光反射性の陰極と、電子輸送層と、電子輸送性の発光層と、光透過性の陽極と、をこの順で有する多色有機発光装置であって、
前記第１の有機発光素子と前記第２の有機発光素子において、各電子輸送層の厚みは同じであり、各発光層の厚みは異なっており、かつ各発光層の厚みは発光層から前記陽極側に放出される光と、前記陰極で反射される光とが、光学干渉により強め合う膜厚であることを特徴とする多色有機発光装置。
【請求項１４】
第１の発光色を呈する第１の有機発光素子と、第１の発光色とは異なる第２の発光色を呈する第２の有機発光素子と、を有し、各有機発光素子は、光反射性の陰極と、電子輸送層と、発光層と、光透過性の陽極と、をこの順で有する多色有機発光装置であって、
各有機発光素子の前記発光層の発光面は、前記発光層の陽極側の界面であり、
前記第１の有機発光素子と前記第２の有機発光素子において、各電子輸送層の厚みは同じであり、各発光層の厚みは異なっており、かつ各発光層の厚みは発光層から前記陽極側に放出される光と、前記陰極で反射される光とが、光学干渉により強め合う膜厚であることを特徴とする多色有機発光装置。
【請求項１５】
第１の発光色を呈する第１の有機発光素子と、第１の発光色とは異なる第２の発光色を呈する第２の有機発光素子と、を有し、各有機発光素子は、光反射性の陽極と、正孔輸送層と、正孔輸送性の発光層と、光透過性の陰極と、をこの順で有する多色有機発光装置であって、
前記第１の有機発光素子と前記第２の有機発光素子において、各正孔輸送層の厚みは同じであり、各発光層の厚みは異なっており、かつ各発光層の厚みは発光層から前記陰極側に放出される光と、前記陽極で反射される光とが、光学干渉により強め合う膜厚であることを特徴とする多色有機発光装置。
【請求項１６】
第１の発光色を呈する第１の有機発光素子と、第１の発光色とは異なる第２の発光色を呈する第２の有機発光素子と、を有し、各有機発光素子は、光反射性の陽極と、正孔輸送層と、発光層と、光透過性の陰極と、をこの順で有する多色有機発光装置であって、
各有機発光素子の前記発光層の発光面は、前記発光層の陰極側の界面であり、
前記第１の有機発光素子と前記第２の有機発光素子において、各正孔輸送層の厚みは同じであり、各発光層の厚みは異なっており、かつ各発光層の厚みは発光層から前記陰極側に放出される光と、前記陽極で反射される光とが、光学干渉により強め合う膜厚であることを特徴とする多色有機発光装置。
【手続補正２】
【補正対象書類名】明細書
【補正対象項目名】００１５
【補正方法】変更
【補正の内容】
【００１５】
上記した背景技術の課題を解決するための手段として、本発明にかかる多色有機発光装置は、第１の発光色を呈する第１の有機発光素子と、第１の発光色とは異なる第２の発光色を呈する第２の有機発光素子と、を有し、各有機発光素子は、光反射性の陰極と、電子輸送層と、電子輸送性の発光層と、光透過性の陽極と、をこの順で有する多色有機発光装置であって、
前記第１の有機発光素子と前記第２の有機発光素子において、各電子輸送層の厚みは同じであり、各発光層の厚みは異なっており、
各有機発光素子の前記発光層の発光面と前記陰極の反射面との間の光学距離は、発光層から前記陽極側に放出される光と、前記陰極で反射される光とが、光学干渉により強め合う光学距離であることを特徴とする。
更に、本発明にかかる多色有機発光装置は、第１の発光色を呈する第１の有機発光素子と、第１の発光色とは異なる第２の発光色を呈する第２の有機発光素子と、を有し、各有機発光素子は、光反射性の陰極と、電子輸送層と、発光層と、光透過性の陽極と、をこの順で有する多色有機発光装置であって、
各有機発光素子の前記発光層の発光面は、前記発光層の陽極側の界面であり、
前記第１の有機発光素子と前記第２の有機発光素子において、各電子輸送層の厚みは同じであり、各発光層の厚みは異なっており、
各有機発光素子の前記発光層の発光面と前記陰極の反射面との間の光学距離は、発光層から前記陽極側に放出される光と、前記陰極で反射される光とが、光学干渉により強め合う光学距離であることを特徴とする。
【手続補正３】
【補正対象書類名】明細書
【補正対象項目名】００１６
【補正方法】変更
【補正の内容】
【００１６】
また、本発明にかかる多色有機発光装置は、第１の発光色を呈する第１の有機発光素子と、第１の発光色とは異なる第２の発光色を呈する第２の有機発光素子と、を有し、各有機発光素子は、光反射性の陽極と、正孔輸送層と、正孔輸送性の発光層と、光透過性の陰極と、をこの順で有する多色有機発光装置であって、
前記第１の有機発光素子と前記第２の有機発光素子において、各正孔輸送層の厚みは同じであり、各発光層の厚みは異なっており、
各有機発光素子の前記発光層の発光面と前記陽極の反射面との間の光学距離は、発光層から前記陰極側に放出される光と、前記陽極で反射される光とが、光学干渉により強め合う光学距離であることを特徴とする。
更に、本発明にかかる多色有機発光装置は、第１の発光色を呈する第１の有機発光素子と、第１の発光色とは異なる第２の発光色を呈する第２の有機発光素子と、を有し、各有機発光素子は、光反射性の陽極と、正孔輸送層と、発光層と、光透過性の陰極と、をこの順で有する多色有機発光装置であって、
各有機発光素子の前記発光層の発光面は、前記発光層の陰極側の界面であり、
前記第１の有機発光素子と前記第２の有機発光素子において、各正孔輸送層の厚みは同じであり、各発光層の厚みは異なっており、
各有機発光素子の前記発光層の発光面と前記陽極の反射面との間の光学距離は、発光層から前記陰極側に放出される光と、前記陽極で反射される光とが、光学干渉により強め合う光学距離であることを特徴とする。
【手続補正４】
【補正対象書類名】明細書
【補正対象項目名】００１７
【補正方法】変更
【補正の内容】
【００１７】
また、本発明にかかる多色有機発光装置は、第１の発光色を呈する第１の有機発光素子と、第１の発光色とは異なる第２の発光色を呈する第２の有機発光素子と、を有し、各有機発光素子は、光反射性の陰極と、電子輸送層と、電子輸送性の発光層と、光透過性の陽極と、をこの順で有する多色有機発光装置であって、
前記第１の有機発光素子と前記第２の有機発光素子において、各電子輸送層の厚みは同じであり、各発光層の厚みは異なっており、かつ各発光層の厚みは発光層から前記陽極側に放出される光と、前記陰極で反射される光とが、光学干渉により強め合う膜厚であることを特徴とする。
更に、本発明にかかる多色有機発光装置は、第１の発光色を呈する第１の有機発光素子と、第１の発光色とは異なる第２の発光色を呈する第２の有機発光素子と、を有し、各有機発光素子は、光反射性の陰極と、電子輸送層と、発光層と、光透過性の陽極と、をこの順で有する多色有機発光装置であって、
各有機発光素子の前記発光層の発光面は、前記発光層の陽極側の界面であり、
前記第１の有機発光素子と前記第２の有機発光素子において、各電子輸送層の厚みは同じであり、各発光層の厚みは異なっており、かつ各発光層の厚みは発光層から前記陽極側に放出される光と、前記陰極で反射される光とが、光学干渉により強め合う膜厚であることを特徴とする。
【手続補正５】
【補正対象書類名】明細書
【補正対象項目名】００１８
【補正方法】変更
【補正の内容】
【００１８】
また、本発明にかかる多色有機発光装置は、第１の発光色を呈する第１の有機発光素子と、第１の発光色とは異なる第２の発光色を呈する第２の有機発光素子と、を有し、各有機発光素子は、光反射性の陽極と、正孔輸送層と、正孔輸送性の発光層と、光透過性の陰極と、をこの順で有する多色有機発光装置であって、
前記第１の有機発光素子と前記第２の有機発光素子において、各正孔輸送層の厚みは同じであり、各発光層の厚みは異なっており、かつ各発光層の厚みは発光層から前記陰極側に放出される光と、前記陽極で反射される光とが、光学干渉により強め合う膜厚であることを特徴とする。
更に、本発明にかかる多色有機発光装置は、第１の発光色を呈する第１の有機発光素子と、第１の発光色とは異なる第２の発光色を呈する第２の有機発光素子と、を有し、各有機発光素子は、光反射性の陽極と、正孔輸送層と、発光層と、光透過性の陰極と、をこの順で有する多色有機発光装置であって、
各有機発光素子の前記発光層の発光面は、前記発光層の陰極側の界面であり、
前記第１の有機発光素子と前記第２の有機発光素子において、各正孔輸送層の厚みは同じであり、各発光層の厚みは異なっており、かつ各発光層の厚みは発光層から前記陰極側に放出される光と、前記陽極で反射される光とが、光学干渉により強め合う膜厚であることを特徴とする。
【手続補正６】
【補正対象書類名】明細書
【補正対象項目名】００２２
【補正方法】変更
【補正の内容】
【００２２】
本発明の多色有機発光装置は、第１の発光色を呈する第１の有機発光素子、及び第１の発光色とは異なる第２の発光色を呈する第２の有機発光素子と、を有する。第１の有機発光素子と第２の有機発光素子は、基板側から順に第１電極と、発光層と、第２電極とを有する。